(57)【特許請求の範囲】
【請求項１】
力率を改善するＰＦＣ回路を備えた電源装置を有する遊技機において、
外部電源を変圧する変圧部に接続された前記電源装置は、
前記ＰＦＣ回路に入力される電圧を検知する入力電圧検知手段と、
前記ＰＦＣ回路を制御するＰＦＣ回路制御手段とを備え、
前記ＰＦＣ回路制御手段は、前記ＰＦＣ回路が停止している状態で前記入力電圧検知手段が検知した入力電圧を反映する所定の電圧値が第１基準電圧以上である場合にこのＰＦＣ回路を起動させ、前記ＰＦＣ回路が作動している状態で前記変圧部に接続された他の遊技機の稼働状態の変動により前記入力電圧が変動しても前記所定の電圧値が前記第１基準電圧と異なる基準電圧であって前記第１基準電圧より低い第２基準電圧以下である場合にこのＰＦＣ回路を停止させる起動停止制御手段を有することを特徴とする遊技機。
【発明の詳細な説明】
【技術分野】
【０００１】
本発明は、遊技機に関し、特に力率改善回路を有する電源装置を有する遊技機に関する。
【背景技術】
【０００２】
従来から、遊技機に電力を供給する遊技機用の電源装置は、入力された交流電圧を所定の直流電圧に変換する整流平滑回路と、変換された直流電圧を使用箇所に応じた所定の直流電圧に変換するＤＣ−ＤＣコンバータとを備えたものが使用されている。
【０００３】
遊技機を複数台稼働させている遊技ホール等では、一般的に複数台の遊技機を島構造にまとめて配置し、島構造ごとに電源を備えている。遊技機は電飾や表示パネル、可動役物等の大型化、複雑化等に伴って消費する電力が増大しつつある。すると、１つの電源に接続できる遊技機が減り、島構造にこれまでと同じ台数の遊技機を設置しようとすると電源増設工事等が必要となるなど、遊技ホール側の負担が大きくなってしまう。また、供給された電力が有効に使用されないと、電力供給事業者の負担が大きくなり、停電に至る場合もある。
【０００４】
こうした問題を解決する為に、遊技機用の電源装置には特許文献１〜３に示すような力率改善回路（以下、ＰＦＣ回路と呼ぶ。）が搭載されている。ＰＦＣ回路は、皮相電力に対する有効電力の割合を大きくするものであり、商用電源から供給される電力を有効に使用することができるので、１つの電源に接続できる遊技機の台数を増やすことができる。
【先行技術文献】
【特許文献】
【０００５】
【特許文献１】特許２５１２０４０号公報
【特許文献２】特開平１１−０９８６８５号公報
【特許文献３】特開２０１３−０３１５５６号公報
【発明の概要】
【発明が解決しようとする課題】
【０００６】
しかし、特許文献１〜３に開示されたＰＦＣ回路を備えた電源装置は、同じ電源に接続された他の遊技機の稼働状態の変動等によって入力電圧に変動が生じた場合に、安定的にＰＦＣ回路の作動を継続することができない問題があり、その際のＰＦＣ回路の起動、停止の制御について開示されていない。
【０００７】
また、ＰＦＣ回路の起動、停止の制御を一つの基準電圧に基づいて行うと、基準電圧を挟むように電圧が変動する場合にＰＦＣ回路を安定して作動させることができず、必要以上に頻繁にＰＦＣ回路の起動と停止を繰り返すことが起こり得る。
【０００８】
本発明の目的は、電源電圧の変動が生じた場合でも、ＰＦＣ回路の起動と停止が必要以上に頻繁に繰り返されることがなく、ＰＦＣ回路を安定して作動させることが可能な遊技機用の電源装置を備えた遊技機を提供することである。
【課題を解決するための手段】
【０００９】
請求項１の遊技機は、力率を改善するＰＦＣ回路を備えた電源装置を有する遊技機において、外部電源を変圧する変圧部に接続された前記電源装置は、前記ＰＦＣ回路に入力される電圧を検知する入力電圧検知手段と、前記ＰＦＣ回路を制御するＰＦＣ回路制御手段とを備え、前記ＰＦＣ回路制御手段は、前記ＰＦＣ回路が停止している状態で前記入力電圧検知手段が検知した入力電圧を反映する所定の電圧値が第１基準電圧以上である場合にこのＰＦＣ回路を起動させ、前記ＰＦＣ回路が作動している状態で前記変圧部に接続された他の遊技機の稼働状態の変動により前記入力電圧が変動しても前記所定の電圧値が前記第１基準電圧と異なる基準電圧であって第１基準電圧より低い第２基準電圧以下である場合にこのＰＦＣ回路を停止させる起動停止制御手段を有することを特徴としている。
【発明の効果】
【００１０】
入力電圧が頻繁に変動するような場合でも、ＰＦＣ回路の起動、停止の基準である第１基準電圧Ｖ１が第２基準電圧Ｖ２より大きいことにより起動と停止を頻繁に繰り返すことがないので、安定的にＰＦＣ回路を作動させることができ、供給された電力を有効に利用することができる。
【図面の簡単な説明】
【００１１】
【図１】本発明の概要を示すブロック図である。
【図２】本発明のＰＦＣ回路部の起動停止制御を示すフローチャートである。
【発明を実施するための形態】
【００１２】
以下、本発明を実施するための形態について実施例に基づいて説明する。
【実施例】
【００１３】
図１に基づいて本発明の遊技機の構成を説明する。
本発明の遊技機１は遊技機本体２と遊技機本体２に電力を供給する遊技機用の電源装置３を備え、この電源装置３は、交流電源４として変圧器（トランス）を介して商用電源に接続されている。交流電源４には、図示しないが遊技機１が複数接続されている。
【００１４】
トランスは、商用電源であるＡＣ１００Ｖを例えばＡＣ２４Ｖに変換し、電源装置３にＡＣ２４Ｖを供給する。
【００１５】
電源装置３は、整流回路部５の後段に順に入力電圧検出回路部１１、ＰＦＣ回路部９、出力電圧検出回路部１２、ＤＣ−ＤＣコンバータ６が接続され、ＰＦＣ回路部９を制御するＰＦＣ回路制御部１０（ＰＦＣ回路制御手段）と電流検出部１３とを有する。
【００１６】
電源装置３は、整流回路部５によりＡＣ２４Ｖの交流電圧から全波整流された脈流状の直流電圧を生成し、昇圧回路部８を有するＰＦＣ回路部９により整流回路部５で生成された直流電圧を例えばＤＣ３２Ｖに昇圧すると共に平滑化し、ＤＣ−ＤＣコンバータ６により遊技機本体２で使用されるＤＣ１２Ｖ，ＤＣ５Ｖ，ＤＣ３．３Ｖ等の低い直流電圧を生成する。
【００１７】
整流回路部５は４つのダイオード（Ｄ１〜Ｄ４）からなるダイオードブリッジで形成されている。整流回路部５の入力端子の一方はダイオードＤ１のアノードと、ダイオードＤ２のカソードと接続され、他方はダイオードＤ３のアノードと、ダイオードＤ４のカソードと接続されている。ダイオードＤ１のカソードとダイオードＤ３のカソードが接続された整流回路部５の正極側の出力端子は、入力電圧検出回路部１１とＰＦＣ回路部９が接続されている。ダイオードＤ２のアノードとダイオードＤ４のアノードが接続された整流回路部５の負極側の出力端子は、夫々接地された入力電流検出部１３とＰＦＣ回路制御部１０が接続されている。
【００１８】
入力電圧検出回路部１１は、直列に接続された抵抗Ｒ１と抵抗Ｒ２から構成され、抵抗Ｒ１が整流回路部５の正極側の出力端子に接続され、抵抗Ｒ２は接地されている。また、抵抗Ｒ１と抵抗Ｒ２の中間点がＰＦＣ回路制御部１０と接続されている。
【００１９】
ＰＦＣ回路部９は、整流回路部５の正極側の出力端子にインダクタＬ１とダイオードＤ５のアノードが直列に接続されている。ＭＯＳＦＥＴからなるスイッチ素子ＳＷ１は、ゲートがＰＦＣ回路制御部１０に接続され、ドレインがインダクタＬ１とダイオードＤ５の間に接続され、ソースが接地されている。これらのインダクタＬ１とダイオードＤ５とスイッチ素子ＳＷ１とで昇圧回路部８が形成されている。昇圧回路部８の正極側の出力端子であるダイオードＤ５のカソードは、接地されたコンデンサＣ１と接続されてＰＦＣ回路部９の正極側の出力端子になっている。
【００２０】
出力電圧検出回路部１２とＤＣ−ＤＣコンバータ６は、ＰＦＣ回路部９の正極側の出力端子に接続され、出力電圧検出回路部１２とＤＣ−ＤＣコンバータ６は夫々接地されている。出力電圧検出回路部１２は直列に接続された抵抗Ｒ４と抵抗Ｒ５から構成され、抵抗Ｒ４はＰＦＣ回路部９の正極側の出力端子に接続され、抵抗Ｒ５は接地されている。抵抗Ｒ４と抵抗Ｒ５の中間点はＰＦＣ回路制御部１０と接続されている。
【００２１】
ＰＦＣ回路制御部１０は、入力電圧検出回路部１１から抵抗Ｒ１，Ｒ２に応じた入力電圧を反映する電圧Ｖと、出力電圧検出回路部１２から抵抗Ｒ４，Ｒ５に応じた出力電圧を反映する電圧Ｖｏと、電流検出部１３から入力電流Ｉとを取得し、力率を改善するようにＰＦＣ回路部９を制御する。
【００２２】
ＰＦＣ回路制御部１０は、取得した電圧Ｖと、電圧Ｖｏから、内蔵する演算器によって基準電圧Ｖｓを生成する。電流検出部１３の電圧、つまり入力電流Ｉと抵抗Ｒ３から算出される電圧がこの基準電圧Ｖｓと同じになるように、ＰＦＣ回路制御部１０と接続されたスイッチ素子ＳＷ１のゲートにスイッチ素子ＳＷ１をＯＮ／ＯＦＦする制御信号が印加される。こうしてスイッチ素子ＳＷ１を高速スイッチングさせてＰＦＣ回路部９を作動させ、入力電圧と入力電流が同相になるように制御することにより、力率を改善することができる。
【００２３】
ＰＦＣ回路部９では、スイッチ素子ＳＷ１がＯＮのとき、インダクタＬ１に電流が流れる。スイッチ素子ＳＷ１がＯＦＦになると、インダクタＬ１に蓄えられたエネルギーによって電流がダイオードＤ５を流れ、コンデンサＣ１に電荷が蓄えられる。こうしてコンデンサＣ１に蓄えられた電荷によって、スイッチ素子ＳＷ１がＯＮのときに、ＤＣ−ＤＣコンバータ６に直流電流を供給することができ、スイッチ素子ＳＷ１がＯＦＦになると、ダイオードＤ５を流れる電流によってＤＣ−ＤＣコンバータ６に直流電流を供給することができる。つまり、平滑化された直流電流がＤＣ−ＤＣコンバータ６に入力される。このときＰＦＣ回路部９から出力される電圧はコンデンサＣ１の両端の電圧であり、昇圧され且つ平滑化された直流電圧が出力される。
【００２４】
ＤＣ−ＤＣコンバータ６は、ＰＦＣ回路部９から出力される平滑化された直流電圧から所定の直流電圧、例えばＤＣ１２Ｖ，ＤＣ５Ｖ，ＤＣ３．３Ｖを生成し、遊技機本体２に出力する。
【００２５】
ＰＦＣ回路制御部１０には、ＰＦＣ回路部９が停止状態のときに上述の入力電圧検出回路部１１から取得した入力電圧を反映する電圧Ｖが所定の第１基準電圧Ｖ１以上である場合にＰＦＣ回路部９を起動させ、ＰＦＣ回路部９が作動状態のときに入力電圧検出回路部１１から取得した電圧Ｖが所定の第２基準電圧Ｖ２以下である場合にＰＦＣ回路部９を停止させる起動停止制御部１４（起動停止制御手段）が備えられている。
【００２６】
ここで入力電圧は、整流回路部５から出力された脈流電圧の実効値（電圧の最大値の１／√２倍）であるが、平均値（電圧の最大値の２／π倍）又は最大値（電圧の最大値）を採用することもできる。入力電圧を反映する電圧Ｖは、入力電圧の実効値、平均値または最大値によりとり得る電圧範囲が変わるので、入力電圧として採用される値に応じて第１基準電圧Ｖ１及び第２基準電圧Ｖ２が適宜設定される。尚、第２基準電圧はＰＦＣ回路制御部１０が作動可能な範囲で設定され、第１基準電圧Ｖ１は、第２基準電圧Ｖ２より高い電圧に設定される。
【００２７】
本発明の作用、効果について図２に基づいて説明する。遊技機１の稼働中にＰＦＣ回路制御部１０に備えられた起動停止制御部１４は、図２のＰＦＣ回路起動停止制御を所定の時間毎に繰り返して行う。尚、Ｓｉ（ｉ＝１，２・・・）はステップを表す。
【００２８】
起動停止制御部１４は、ＰＦＣ回路制御部１０によってＰＦＣ回路部９が作動中であるか否かを判定する（Ｓ１）。判定がＮｏの場合は、入力電圧を反映する電圧Ｖが第１基準電圧Ｖ１以上か否か判定する（Ｓ２）。Ｓ２の判定がＹｅｓの場合はＰＦＣ回路部９を起動して（Ｓ３）リターンし、Ｎｏの場合はそのままリターンする。
【００２９】
一方、Ｓ１でＰＦＣ回路部９が作動中（Ｙｅｓ）の場合は、入力電圧を反映する電圧Ｖが第２基準電圧Ｖ２以下であるか否か判定する（Ｓ４）。Ｓ４の判定がＹｅｓの場合はＰＦＣ回路部９を停止させて（Ｓ５）リターンし、Ｎｏの場合はそのままリターンする。
【００３０】
ＰＦＣ回路制御部１０に備えられた起動停止制御部１４による上述のＰＦＣ回路起動停止制御により、同じ交流電源４に接続された他の遊技機１の稼働状態の変動等により電源電圧が変動した場合においても、所定の第１基準電圧Ｖ１、及び第１基準電圧Ｖ１より低い停止の基準である第２基準電圧Ｖ２が設定されているため、入力電圧を反映する電圧ＶがＶ１以上になってＰＦＣ回路部９が起動すると、電圧Ｖが第１基準電圧Ｖ１より低い第２基準電圧Ｖ２以下になるまで作動し続けるので、ＰＦＣ回路部９が頻繁に起動と停止を繰り返すことがなく、安定して作動させることができる。
【００３１】
当業者であれば、本発明の趣旨を逸脱することなく、前記実施例に種々の変更を付加した形態で実施可能であり、本発明はそのような変更形態を包含するものである。
【符号の説明】
【００３２】
１    遊技機
２    遊技機本体
３    電源装置
４    交流電源
５    整流回路部
６    ＤＣ−ＤＣコンバータ
８    昇圧回路部
９    ＰＦＣ回路部
１０  ＰＦＣ回路制御部（ＰＦＣ回路制御手段）
１１  入力電圧検出回路部（入力電圧検知手段）
１２  出力電圧検出回路部
１３  入力電流検出部
１４  起動停止制御部（起動停止制御手段）
Ｄ１〜Ｄ５  ダイオード
Ｌ１  インダクタ
Ｒ１〜Ｒ５  抵抗
Ｃ１  コンデンサ
ＳＷ１  スイッチ素子
Ｖ    入力電圧を反映する電圧
Ｖ１  第１基準電圧
Ｖ２  第２基準電圧
【図１】
0006499118.tif 000002
【図２】
0006499118.tif 000003